(57)【特許請求の範囲】
【請求項１】
ベッドフレームと、
上記ベッドフレームに固定された固定床部及びこの固定床部の一側に起伏可能かつベッドフレームの長手方向に沿って移動可能に設けられた背床部を有する床板体と、
上記ベッドフレームの上記背床部の一端部と対応する位置に回転及びベッドフレームの長手方向に沿って移動可能に設けられた背上げ軸と、
上記背上げ軸の両端部に設けられた平歯車及び上記ベッドフレームの長手方向に沿って設けられ上記平歯車が噛合したラックと、
上記背上げ軸を回転駆動することで上記平歯車とラックとの噛合によって上記背上げ軸を回転させながらベッドフレームの長手方向に沿って移動させる駆動手段と、
上記背上げ軸に設けられこの背上げ軸が上記駆動手段によって所定方向に回転させられることで上記背床部を倒伏状態から起上方向へ回動させる背上げアームと
を具備したことを特徴とする起床式ベッド装置。
【請求項２】
上記背上げ軸に一端が回動可能に連結され他端が上記背床部の一端部に回動可能に連結されていて、上記背上げ軸が上記駆動手段によって回転させられて上記ベッドフレームの長手方向に沿って移動すると、その移動に上記背床部を連動させる連動部材を有することを特徴とする請求項１記載の起床式ベッド装置。
【請求項３】
上記床板体上にはマットレスが載置され、上記背床部には、この背床部が起立方向に回動したときに上記マットレスを引張り、倒伏方向に回動したときに引張り状態を解除する伸縮手段が設けられていることを特徴とする請求項１記載の起床式ベッド装置。
【請求項４】
上記背床部の一端には腰床部の一端が回動可能に連結され、この腰床部の他端に上記連動部材の他端が回動可能に連結されていることを特徴とする請求項２記載の起床式ベッド装置。
【発明の詳細な説明】
【０００１】
【発明の属する技術分野】
この発明は床板体の一部を起伏駆動して利用者の上半身を起こすことができるようにした起床式ベッド装置に関する。
【０００２】
【従来の技術】
病人や老人などのように自力で起き上がることができない利用者には、床板の一部を起伏駆動することができるようにした、いわゆる起床式ベッド装置が利用されている。起床式ベッド装置は、ベッドフレームを有し、このベッドフレームには床板体が設けられている。床板体は複数の床部に分割されていて、そのうちの少なくとも利用者の上半身に対応する部分の背床部は上記ベッドフレームに固定された固定部に枢着され、ベッドフレームに回動可能に設けられた背上げ軸によって起伏駆動されるようになっている。
【０００３】
上記背上げ軸は駆動機構によって回動駆動される。上記駆動機構は駆動源及びこの駆動源によって進退駆動される駆動軸を有し、この駆動軸によって上記背上げ軸が回動駆動される。この背上げ軸には背上げアームの一端が連結されている。この背上げアームの他端にはローラが回転自在に設けられ、このローラは上記背床部の下面に位置している。したがって、背上げ軸が上記駆動軸によって所定の回転方向に駆動されれば、この駆動軸とともに背上げアームが起上方向に回動するから、このアームの先端に設けられたローラによって上記背床部が起上させられるようになっている。
【０００４】
【発明が解決しようとする課題】
ところで、上記床板体上にはマットレスが載置される。そのため、利用者の上半身はマットレスを介して上記背床部によって起こされることになる。
【０００５】
背床部を起上させるとマットレスは背床部と固定床部とがなす角度に応じて湾曲される。マットレスは所定の厚さを有するから、湾曲されることで、上面には圧縮力が発生し、下面には引張り力が発生する。マットレスの上面に圧縮力が発生すると、その圧縮力によって利用者の腰部がマットレスの湾曲した部分に包み込まれて圧迫される。
【０００６】
利用者が自力によって腰部をマットレスから浮き上がらせることができれば、その圧迫状態を解除することができるが、自力で身体を自由に動かすことが困難な利用者の場合には、マットレスによる腰部の圧迫状態を解除することができないため、不快感が増大するということがある。
【０００７】
この発明は、利用者が上半身を起こしたときに、腰部が圧迫されることがないようにした起床式ベッド装置を提供することにある。
【０００８】
【課題を解決するための手段】
請求項１の発明は、ベッドフレームと、
上記ベッドフレームに固定された固定床部及びこの固定床部の一側に起伏可能かつベッドフレームの長手方向に沿って移動可能に設けられた背床部を有する床板体と、
上記ベッドフレームの上記背床部の一端部と対応する位置に回転及びベッドフレームの長手方向に沿って移動可能に設けられた背上げ軸と、
上記背上げ軸の両端部に設けられた平歯車及び上記ベッドフレームの長手方向に沿って設けられ上記平歯車が噛合したラックと、
上記背上げ軸を回転駆動することで上記平歯車とラックとの噛合によって上記背上げ軸を回転させながらベッドフレームの長手方向に沿って移動させる駆動手段と、
上記背上げ軸に設けられこの背上げ軸が上記駆動手段によって所定方向に回転させられることで上記背床部を倒伏状態から起上方向へ回動させる背上げアームと
を具備したことを特徴とする起床式ベッド装置にある。
【０００９】
請求項２の発明は、上記背上げ軸に一端が回動可能に連結され他端が上記背床部の一端部に回動可能に連結されていて、上記背上げ軸が上記駆動手段によって回転させられて上記ベッドフレームの長手方向に沿って移動すると、その移動に上記背床部を連動させる連動部材を有することを特徴とする請求項１記載の起床式ベッド装置にある。
【００１０】
請求項３の発明は、上記床板体上にはマットレスが載置され、上記背床部には、この背床部が起立方向に回動したときに上記マットレスを引張り、倒伏方向に回動したときに引張り状態を解除する伸縮手段が設けられていることを特徴とする請求項１記載の起床式ベッド装置にある。
【００１１】
請求項４の発明は、上記背床部の一端には腰床部の一端が回動可能に連結され、この腰床部の他端に上記連動部材の他端が回動可能に連結されていることを特徴とする請求項２記載の起床式ベッド装置にある。
【００１３】
この発明によれば、床板体の背床部を起上させると、背上げ軸に設けられた平歯車がラックに沿って回転するから、上記背床部を起上時には固定床部から離反する後方へ移動させることができる。それによって、利用者の上半身の屈曲度合が緩やかになるから、腰部の圧迫度合も緩やかになる。
【００１４】
【発明の実施の形態】
以下、この発明の一実施の形態を図１乃至図９を参照して説明する。図１は起床式のベッド装置の分解斜視図であり、このベッド装置はベ−スフレ−ム１を備えている。このベ−スフレ−ム１はそれぞれ一対の長尺杆２と短尺杆３とを矩形枠状に配置し、これらの隣り合う端部を第１の連結部材４で連結して形成されている。上記長尺杆２と短尺杆３とには角筒状の部材が用いられている。
【００１５】
上記第１の連結部材４には、後述する上下駆動機構１１の回動駆動される第２のア−ム１９ａ、１９ｂの端部を枢支する取付け部７が形成されているとともに、上記ベ−スフレ−ム１を走行自在かつ所定の位置で走行不能に保持できるストッパ付きのキャスタ８が設けられている。
【００１６】
上記ベ−スフレ−ム１には上述した上下駆動機構１１が設けられる。この上下駆動機構１１は図１に示すように駆動源１２を有する。この駆動源１２には駆動軸１３が取付けられ、この駆動軸１３は上記駆動源１２によって軸方向に進退駆動されるようになっている。
【００１７】
上記駆動軸１３の先端は連動杆１４の中途部に第１のブラケット１５を介して枢着されている。上記連動杆１４の一端と他端はそれぞれ回転軸１６ａ，１６ｂの中途部に設けられた第１のア−ム１７に枢着されている。
【００１８】
一方の回転軸１６ａの中途部には、この回転軸１６ａの周方向に対して上記第１のア−ム１７と所定の角度で第２のブラケット１８が設けられ、この第２のブラケット１８に上記駆動源１２が回動自在に取付けられている。なお、他方の回転軸１６ｂの第１のア−ム１７には上記連動杆１４の端部が連動部材２０を介して枢着されている。
【００１９】
一方の回転軸１６ａの両端部には第２のア−ム１９ａの一端が固着され、他方の回転軸１６ｂの両端には第２のア−ム１９ｂの中途部が固着されている。各第２のア−ム１９ａ、１９ｂの他端は上記第１の連結部材４の取付部７に図示しない支軸によって回転自在に支持されている。
【００２０】
上記構成の上下駆動機構１１によれば、駆動源１２が作動して駆動軸１３が突出方向に駆動されると、連動杆１４が図１に矢印で示す方向に移動するから、それによって一対の回転軸１６ａ、１６ｂが同図に矢印で示す時計方向に回転する。回転軸１６ａ、１６ｂが回転すれば、その回転に上記第２のア−ム１９ａ，１９ｂが連動する。
【００２１】
上記ベ−スフレ−ム１の上方には上記上下駆動機構１１によって上下駆動されるベッドフレーム３１が配置されている。このベッドフレーム３１は上記ベ−スフレ−ム１と同様、２本の長尺杆３２と短尺杆３３とを矩形枠状に配置し、隣り合う各短尺杆３３と長尺杆３２の端部を第２の連結部材３４で連結して形成されている。
【００２２】
上記第２の連結部材３４にはそれぞれ保持孔３５が上下方向に貫通して形成されている。ベッドフレーム３１の長手方向一端側と他端側に位置するそれぞれ一対の保持孔３５には図示しないヘッドボ−ド柵とフットボ−ド柵との下端部が挿入保持されるようになっている。
【００２３】
図１に示すように、上記ベッドフレーム３１の長尺杆３２の長手方向両端部内面にはそれぞれ通孔４１ａが穿設された第３のブラケット４１が垂設されている。各第３のブラケット４１は上記通孔４１ａを介して図示しない支軸により上記一方の回転軸１６ａの端部に形成された支持孔４４および他方の回転軸１６ｂの他端に設けられた管部材４５に回転自在に支持されている。
【００２４】
上記ベッドフレーム３１には背上げ駆動機構５１が設けられている。この背上げ駆動機構５１は図２に示すように背上げ軸５２と脚上げ軸５３を有する。脚上げ軸５３の両端部は一対の支持部材５４の一端部に回転可能に支持されている。この支持部材５４は他端面に開放した中空状に形成されていて、この中空部内には可動部材５５がスライド可能に支持されている。
【００２５】
一対の可動部材５５には上記背上げ軸５２の両端部が回転可能に支持されている。可動部材５５から突出した背上げ軸５２の両端部には、それぞれ平歯車５６が嵌着固定され、さらにその平歯車５６よりも端部側には環状溝５７が形成されている。
【００２６】
上記脚上げ軸５３の両端部には一対の脚上げアーム５８の基端部が固着されている。この脚上げアーム５８の先端部にはローラ５９が回転可能に設けられている。
【００２７】
上記背上げ軸５２の両端部には一対の背上げアーム６１の基端部が回転自在に支持されている。各背上げアーム６１の先端部には図２に示すようにそれぞれ一対のローラ６２が所定間隔で回転自在に設けられている。さらに、背上げ軸５２には、各背上げアーム６１の近傍に駆動アーム６３が基端部を固着して設けられている。駆動アーム６３の先端には上記背上げアーム６１の下面に当接するローラ６４が回転自在に設けられている。
【００２８】
上記背上げ軸５２の一対の駆動アーム６３の間の部分には一対の連動部材６５の基端部が回転自在に支持され、さらに背上げ軸５２の一対の連動部材６５の間の部分には伝動アーム６６の一端が固着されている。この伝動アーム６６の他端には駆動源６７の駆動軸６８の先端が枢着されている。
【００２９】
上記一対の支持部材５４間には横杆６９が架設されている。この横杆６９の中途部には第４のブラケット７１が設けられている。この第４のブラケット７１に上記駆動源６７が回動可能に取付けられている。
【００３０】
上記背上げ軸５２の一端部には第５のブラケット７２が設けられている。この第５のブラケット７２には第１の連動杆７３の一端が枢着されている。この第１の連動杆７３の他端は上記ベッドフレーム３１に一端が枢着されたリンク７４の他端に枢着されている。このリンク７４の中途部には第２の連動杆７５の一端が枢着されている。この第２の連動杆７５の他端は上記脚上げ軸５３の一端部に設けられた第６のブラケット７６に枢着されている。
【００３１】
図１に示すように、上記ベッドフレーム３１の一対の長尺杆３２の一端部内側面には、上記脚上げ軸５３の両端部を回転自在に支持する第１の受け部材７７（一方のみ図示）が設けられている。さらに、長尺杆３２の他端部内側面には、図３に示すように上記背上げ軸５２の両端に設けられた環状溝５７に係合してこの背上げ軸５２をベッドフレーム３１の長手方向に沿って転動可能かつ軸方向に移動不能に支持したガイドレール７８ａを有する第２の受け部材７８が設けられている。
【００３２】
つまり、背上げ駆動機構５１は、背上げ軸５２、脚上げ軸５３、駆動源６７などが一体化されて構成されていて、ベッドフレーム３１の第１の受け部材７７と第２の受け部材７８とに脚上げ軸５３と背上げ軸５２とを介して保持されている。
【００３３】
背上げ駆動機構５１がベッドフレーム３１に保持されると、背上げ軸５２の両端部に嵌着固定された平歯車５６がラック７９に噛合する。このラック７９は上記ベッドフレーム３１の長尺杆３２の中途部に歯面を下方に向けて設けられている。
【００３４】
上記ベッドフレーム３１の上面には床板体８１が設けられている。この床板体８１は図１に示すように５つの床部に分割されている。中央には上記ベッドフレーム３１に固定された固定床部８２ａが設けられ、この固定床部８２ａの一側には腰床部８２ｂと背床部８２ｃとが設けられている。
【００３５】
腰床部８２ｂの一端と背床部８２ｃの一端とは回動自在に連結され、腰床部８２ｂの他端と固定床部８２ａの一端とは分離されている。上記腰床部８２ｂの他端は連結軸８４（図２、図８及び図９に示す）によって上記背上げ駆動機構５１の連動部材６５の他端に回動可能に連結されている。
【００３６】
上記背床部８２ｃの下面には図５に示すように断面コ字状に一対のガイド部材８５が所定間隔で、しかも開放した側面を幅方向外方に向けて設けられている。そして、このガイド部材８５には上記背上げアーム６１に設けられた各一対のローラ６２が転動可能に係合している。
【００３７】
上記固定床部８２ａの他側には第１の脚床部８２ｄと第２の脚床部８２ｅとが順次回動可能に連結されている。第１の脚床部８２ｄの下面には上記脚上げアーム５８に設けられたローラ５９が接触しており、第２の脚床部８２ｅの下面には、両端をベッドフレーム３１の長尺杆３２に回動可能に連結したコ字状の支持杆８６（図１、図８及び図９に示す）の中途部が回動可能に係止されている。
【００３８】
それによって、図９に示すように第１の脚床部８２ｄが脚上げアーム５８によって上昇方向に回動させられると、その回動に第２の脚床部８２ｅが連動して上昇するとともに、上記支持杆８６によってその上昇状態が保持される。
【００３９】
上記床板体８１の上面にはマットレス９１が載置される。このマットレス９１は図６（ａ）〜（ｃ）に示すようにウレタンフォームなどの弾性材料によって矩形板状に形成されたクッション体９２及びこのクッション体９２を被覆した袋状の外装地９３を有する。外装地９３は伸縮可能な布地によって形成されている。
【００４０】
上記クッション体９２の一側面の一端部には合成樹脂製のネット９４が紐９５によって保持され、このネット９４にはクッション体９２の幅方向に所定間隔で離間した帯状の一対の第１の面状ファスナ９６が長手方向に沿って設けられている。この上記第１の面状ファスナ９６は、図７に示すようにクッション体９２に穿設された通孔９８に通された帯布９９に逢着されている。
【００４１】
図６（ａ）に示すように、上記外装地９３には上記第１の面状ファスナ９６を露出させる開口９３ａが形成されているとともに一側面にはクッション体９２を出し入れするためのファスナ９３ｂが設けられている。
【００４２】
図６（ｂ），（ｃ）に示すように、上記クッション体９２のネット９４が設けられていない部分には、クッション体９２の幅方向に沿う複数のスリット９７が長手方向に対して千鳥状に穿設されている。したがって、クッション体９２に長手方向の引張力が加わると、上記各スリット９７が開いてクッション体９２を弾性的に引き伸ばすことになる。
【００４３】
図５と図７に示すように、上記背床部８２には、この背床部８２の起伏動作に応じて上記マットレス９１を伸縮させる伸縮手段を構成する帯状部材１０２を有する。この帯状部材１０２は図７に示すように一端側が上記背床部８２ｃの長手方向一端部に形成されたガイド孔１０３に通されて下面側に導かれ、他端側は上記背床部８２ｃの長手方向他端側の凹部１０４に係合して下面側に導かれている。
【００４４】
上記帯状部材１０２には第２の面状ファスナ１０５が逢着されていて、この第２の面状ファスナ１０５に上記マットレス９１の第１の面状ファスナ９６が係着される。
【００４５】
上記帯状部材１０２の一端と他端とは、図７に示すように帯状の連結鋼板１０６の一端と他端とに連結されている。この連結鋼板１０６の一端部は上記背上げ機構５１の背上げアーム６１の先端部内に取付けられた連結部材１０７に固定されている。この連結部材１０７は背上げアーム６１の先端部にローラ６２を取付けた軸１０８に取付けられている。
【００４６】
したがって、上記背上げアーム６１が駆動源６７によって起立方向に回動駆動されることで、上記ローラ６２がガイド部材８５に対して図７に矢印Ｘで示す方向に相対移動し、その相対移動が連結部材１０７を介して帯状部材１０２に伝達されるから、この帯状部材１０２は背床部８２ｃの上下面方向に沿って同図に矢印Ｙで示す方向にスライドする。
【００４７】
帯状部材１０２が矢印Ｙ方向にスライドすれば、この動きに第１、第２の面状ファスナ９６，１０５を介してマットレス９１が連動して矢印Ｚ方向へスライドする。したがって、背上げアーム６１を起立方向に回動させて背床部８２ｃを起上させると、上記マットレス９１は起上する背床部８２ｃを上昇する方向へ強制的に引張られることになる。それによって，マットレス９１はそのクッション体９２と外装地９３とが引き伸ばされることになる。
【００４８】
起上した背床部８２ｃを倒伏方向へ回動させると、ローラ６２はガイド部材８５に対して矢印Ｘと逆方向へ相対的に移動するから、帯状部材１０２は上記背床部８２ｃの上下面に沿って矢印Ｙと逆方向にスライドする。したがって、そのときには、上記マットレス９１は上記背床部８２ｃを下降する、矢印Ｚとは逆方向へ強制的にスライドさせられるから、伸張状態から元の状態へ縮小することになる。
【００４９】
つぎに、上記構成の起上式ベッド装置の動作について説明する。
図８に示すように床板体８１の背床部８２ｃが倒伏した状態から図９に示すように起上させる場合には、駆動源６７を作動させ、その駆動軸６８を突出方向へ駆動する。駆動軸６８が駆動されると、図４に示すように伝動アーム６６が矢印Ｂで示す方向へ回動するから、その回動に背上げ軸５２が連動する。
【００５０】
背上げ軸５２が矢印Ｂ方向へ回動すると、この背上げ軸５２に設けられた駆動アーム６３が同方向に回動するから、背上げ軸５２に基端部が回転可能に取付けられた背上げアーム６１が駆動アーム６３のローラ６４によって起上方向に回動させられる。
【００５１】
背上げアーム６１の先端部に設けらた一対のローラ６２は背床部８２ｃの下面に設けられたガイド部材８５に係合しているから、このガイド部材８５の内部を転動しながらガイド部材８５を介して背床部８２ｃを起上させる。背床部８２ｃが起上すれば、その起上に腰床部８２ｂが連動する。
【００５２】
一方、背上げ軸５２が図４に矢印Ｂで示す方向に回動すると、この背上げ軸５２の両端部に設けられた平歯車５６も同方向に回動する。平歯車５６はラック７８に噛合しているから、回転することによって図４に矢印Ｃに示す方向へ移動する。
【００５３】
平歯車５６が矢印Ｃ方向へ移動すれば、その移動に背上げ軸５２及び背上げアーム６１が連動する。背上げアーム６１のローラ６２は背床部８２ｃのガイド部材８５に係合しているから、背上げアーム６１の矢印Ｃ方向への移動に背床部８２ｃも連動する。
【００５４】
さらに、背上げ軸５２には腰床部８２ｂが連動部材６５を介して連結されているから、このことによっても、背上げ軸５２の矢印Ｃ方向への移動に上記連動部材６５によって背床部８２ｃが腰床部８２ｂを介して連動する。
【００５５】
つまり、背床部８２ｃを起上方向に回動してマットレス９１上に仰臥した利用者の上半身を起こす場合、上記背床部８２ｃは起上方向と逆方向である後方へ移動しながら起上することになる。つまり、固定部材８２ａに対して背床部８２ｃが離れる方向へ移動するから、マットレス９１の屈曲度合が小さくなり、利用者は腰部がマットレス９によって強く圧迫されることなく上半身を起こすことができる。
【００５６】
しかも、背床部８２ｃを起上させると、マットレス９１の背床部８２ｃ上に位置する部分が帯状部材１０２によって起上する背床部８２ｃを上昇する方向に引張られて伸張する。そのため、利用者の腰部がマットレス９１に包み込まれて圧迫されるということもなくなるから、これらのことによって利用者は腰部が圧迫される苦痛や不快感を感じることなく上半身を起こすことができる。
【００５７】
背上げ軸５２を図４に矢印Ｂで示す方向に回転させると、その回転によって第１の連動杆７３がリンク７４を図９に矢印で示す方向へ回動させるから、その回動によって第２の連動杆７５が矢示方向に引かれて脚上げ軸５３を回動させる。
【００５８】
それによって、脚上げ軸５３に設けられた脚上げアーム５８が起立方向へ回動するから、脚上げアーム５８の先端に設けられたローラ５９によって第１の脚床部８２ｄが固定床部８２ａに連結された一端を支点として起立方向に回動上昇する。第１の脚床部８２ｄが回動上昇すると、それに第２の脚床部８２ｅが連動して上昇し、その上昇状態が支持杆８６によって保持されることになる。
【００５９】
つまり、背床部８２ｃを起立させて利用者の上半身を起こすと、第１の脚床部８２ｄと第２の脚床部８２ｅとがほぼへの字状に屈曲して上昇するから、これらの脚床部８２ｄ、８２ｅによって利用者の脚部が屈曲した状態で保持される。そのため、上半身を起こした利用者は、臀部が前方へずれるのが防止される。
【００６０】
一方、起上した背床部８２ｃを倒伏させる場合、背上げ駆動機構５１の駆動源６７を作動させ、その駆動軸６８を突出した状態から後退方向へ駆動する。それによって、背上げ軸５２が図４に矢印Ｂで示す方向と逆方向に回転し、駆動アーム６３によって起上方向に回動した背上げアーム６１が倒伏方向へ回動するから、それに背床部８２ｃが連動する。
【００６１】
背上げ軸５２を矢印Ｂと逆方向に回転させると、平歯車５６がラック７８に沿って矢印Ｃと逆方向に転動し、その方向、つまり固定床部８２ａに接近する方向に背上げ軸５２を移動させる。背上げ軸５２が矢印Ｃと逆方向に移動すると、腰床部８２ｂが連動部材６５によって同方向に引張られる。
【００６２】
そのため、起上時に後方へ移動した背床部８２ｃは、倒伏時には腰床部８２ｂを介して前方、つまり固定床部８２ａ側へ強制的に引張られるから、ほぼ水平に倒伏した状態では固定床部８２ａと腰床部８２ｂとの間に隙間ができることのない元の状態に戻ることになる。すなわち、背床部８２ｃには利用者の荷重が加わっているため、単に倒伏させるだけでは後方へ移動した状態から元の状態へ戻り難いが、背上げ軸５２の移動に連動する連動部材６５によって上記腰床部８２ｂと背床部８２ｃとを利用者の荷重に抗して強制的に戻すことができる。
【００６３】
なお、起上した背床部８２ｃを倒伏させる際、この背床部８２ｃに利用者の荷重が加わらないようにすれば、連動部材６５を設けなくとも、腰床部８２ｂと背床部８２ｃとを元の位置に戻すことができる。
【００６４】
さらに、背床部８２ｃが倒伏方向に回動することで、背床部８２ｃに対して帯状部材１０２が図７に示すように矢印Ｙと逆方向にスライドするから、この帯状部材１０２のスライドにマットレス９１が連動する。つまり、マットレス９１は背床部８２ｃに沿って下方へ強制的にスライドさせられるから、背床部８２ｃがほぼ水平に倒伏すると、マットレス９１は伸張した状態から元の状態へ戻ることになる。
【００６５】
さらに、背上げ軸５２が矢印Ｂと逆方向に回転することで、第１の連結杆７３が押されるから、第２の連結杆７５を介して脚上げ軸５３が脚上げアーム５８を倒伏させる方向へ回転させられる。それによって、上昇状態で保持された第１の脚床部８２ｄと第２の脚床部８２ｅも元の状態に戻ることになる。
【００６６】
図１０（ａ）、（ｂ）はこの発明の他の実施の形態を示す。この実施の形態では固定床部８２ａが腰床部８２ｂ側の一側面が開口した中空状に形成され、その内部には引出し床部１８２ａがスライド可能に設けられている。
【００６７】
この引出し床部１８２ａと上記腰床部８２ｂとは連結軸８４によって枢着され、この連結軸８４に、一端を背上げ軸５２に枢着した連結部材６５の他端が枢着されている。
【００６８】
このように、固定床部８２ａに引出し床部１８２ａを設ければ、背上げ時に背床部８２ｃが腰床部８２ｂとともに後方へ移動すると、腰床部８２ｂに連結された引出し床部１８２ａが図１０（ａ）の状態から図１０（ｂ）に示すように、固定床部８２ａから引き出されて固定床部８２ａと腰床部８２ｂの間に介在するから、その部分に隙間ができるのを防止することができる。
【００６９】
なお上記各実施の形態では背床部に腰床部を連結したが、腰床部は無くても差し支えなく、さらに第１の脚床部と第２の脚床部とを設け、背床部を起上させた時にはこれら脚床部をほぼへの字状に屈曲させて上昇させたが、脚床部は２つに分割せずに１つとし、背床部の起上に連動させないようにしてもよい。
【００７０】
【発明の効果】
以上のようにこの発明によれば、床板体の背床部を起上させると、背上げ軸に設けられた平歯車がラックに沿って回転するから、上記背床部を起上時には固定床部から離反する後方へ移動させることができる。
【００７１】
それによって、利用者の上半身、とくに腰の部分の屈曲度合が緩やかになるから、腰部の圧迫度合も緩やかになる。
【図面の簡単な説明】
【図１】この発明の一実施の形態を示す起床式ベッド装置の分解斜視図。
【図２】背上げ駆動機構の斜視図。
【図３】ベッドフレームに対する背上げ軸の取付け状態を示す断面図。
【図４】噛合した平歯車とラックとの部分を示す正面図。
【図５】背床部の下面側を示す斜視図。
【図６】（ａ）はマットレスの斜視図、（ｂ）は外装地の一部を除去したマットレスの下面側を示す斜視図、（ｃ）は外装地を除去したクッション体の斜視図。
【図７】背床部とマットレスとの連結状態を示す断面図。
【図８】背床部を倒伏させた状態のベッド装置を示す側面図。
【図９】背床部を起立させた状態のベッド装置を示す側面図。
【図１０】（ａ）、（ｂ）はこの発明の他の実施の形態を示す床板体の固定床部の部分の断面図。
【符号の説明】
３１…ベッドフレーム
５２…背上げ軸
５６…平歯車
６１…背上げアーム
６５…伝動部材
６６…伝動アーム（駆動手段）
６７…駆動源（駆動手段）
６８…駆動軸（駆動手段）
７９…ラック
８１…床板体
８２ａ…固定床部
８２ｂ…腰床部
８２ｃ…背床部
９１…マットレス
１０２…帯状部材（伸縮手段）
【図１】
0004588854.tif 000002
【図２】
0004588854.tif 000003
【図３】
0004588854.tif 000004
【図４】
0004588854.tif 000005
【図５】
0004588854.tif 000006
【図６】
0004588854.tif 000007
【図７】
0004588854.tif 000008
【図８】
0004588854.tif 000009
【図９】
0004588854.tif 000010
【図１０】
0004588854.tif 000011